(57)【要約】【課題】清掃性が良好で衛生的に保ち、引戸の良好な操作性を図る。【解決手段】本体に開設した開口部の内周上下部に、上レールおよび下レール２８が設けられ、両レール２８間にスライド自在に支持された一対の引戸３０,３２により開口部が開閉される。下レール２８に、各引戸３０,３２の下端を案内する断面が弧状の案内溝４２,４４が形成される。引戸３０,３２の底面に、案内溝４２,４４における弧状内面に摺動自在に接する突部５０が夫々設けられる。突部５０における弧状突面の曲率は、案内溝４２,４４における弧状内面の曲率より小さく設定される。引戸３０,３２の開閉操作に際して、案内溝４２,４４内で突部５０が前後に変位した際には、弧状内面の傾斜によって該突部５０が弧状内面の最深部に接する位置まで自動的に復帰する。【選択図】図１
2005030165.tif 000002
【特許請求の範囲】
【請求項１】
本体(20)に開設した開口部(20a)の内周上部および内周下部に、上レール(26)および下レール(28)が設けられ、両レール(26,28)間にスライド自在に支持された一対の引戸(30,32)により前記開口部(20a)を開閉する戸棚において、
前記下レール(28)に形成されて前後に離間し、各引戸(30,32)の下端を案内する断面が弧状で、該引戸(30,32)のスライド方向に平行に延在する前後の案内溝(42,44)と、
前記引戸(30,32)の底面に設けられ、前記案内溝(42,44)における弧状内面の曲率より小さな曲率の弧状突面を該弧状内面に摺動自在に接する突部(50,50)とを有し、
前記引戸(30,32)の開閉操作に際して、前記案内溝(42,44)内で突部(50,50)が前後に変位した際には、弧状内面に沿って該弧状内面の最深部に該突部(50,50)が接する位置まで戻るよう構成されている
ことを特徴とする戸棚。
【請求項２】
前記下レール(28)における前側の案内溝(42)における前端縁および後側の案内溝(44)における後端縁に、対応する引戸(30,32)の下端部が該案内溝(42,44)から脱落するのを防止する規制部(46,48,54)を設けた請求項１記載の戸棚。
【請求項３】
前記引戸(30,32)の前面に、該引戸(30,32)を開閉操作する把手(52)が突出して設けられ、引戸(30,32)を開閉する際に該把手(52)が他方の引戸(30,32)に当接した際には、各引戸(30,32)は、前記突部(50)が前記案内溝(42,44)の弧状内面に沿って前後方向に移動することで逃げるよう構成されている請求項１または２記載の戸棚。
【発明の詳細な説明】
【技術分野】
【０００１】
本発明は、本体に開設された開口部を一対の引戸により開閉可能に閉成する戸棚に関するものである。
【背景技術】
【０００２】
従来から厨房に設置される食器戸棚においては、ステンレス板を曲げ加工して構成された箱状の本体の前部に、前方に開放する矩形状の開口部が開設され、この開口部の内周上部および内周下部には、ステンレス板をコの字状に折曲形成した上レールおよび下レールが夫々前後２列で配設されている。そして、前側に位置する上下のレール間に前引戸がスライド自在に支持されると共に、後側に位置する上下のレール間に後引戸がスライド自在に支持され、両引戸により前記開口部が開閉自在に閉成されるよう構成される(例えば、特許文献１参照)。
【０００３】
また、上レールを袋状あるいはＬ字状に折曲形成すると共に、引戸の上部にローラを配設し、該ローラを介して引戸を上レールに吊下げることで、引戸の下端を浮かした状態で開口部の開閉を行ない得るよう構成したものもある。
【特許文献１】特開平１０−１３７０５０号公報
【発明の開示】
【発明が解決しようとする課題】
【０００４】
前記特許文献１の構成では、下レールに入ったゴミを掃き出したり汚れを拭き取る作業が煩わしく、不衛生となり易いと共に、引戸の円滑なスライドが妨げられる問題を招く。
【０００５】
これに対し、吊下げ式の引戸を採用した場合は、下レールを省略して開口部の内周下部をフラットにして、清掃性や引戸の摺動性を良好に保つことができる。しかし、引戸の下端が浮いているため、開閉操作時に引戸がスライド方向に対して直交する前後方向にぐらついて不安定となり、操作性に欠けるものであった。なお、食器戸棚では開口部の内周側部に、引戸の側縁部を収容して隙間が生じないようにするための凹形状の側枠が設けられているが、引戸が前後方向にぐらつくと、該引戸の側縁部が側枠内に円滑に収容されずに衝突してしまい、引戸あるいは側枠が変形するおそれがあった。また、上レールには引戸全体の質量が加わるため、ステンレス板を折曲げ加工しただけのレールでは保持力に欠け、食器戸棚の運送時や搬入時等に上レールが変形してしまい、該戸棚を据付けたときに引戸の円滑な摺動性が得られなくなる問題を招く。
【０００６】
すなわち本発明は、前述した従来の技術に内在している前記問題に鑑み、これを好適に解決するべく提案されたものであって、清掃性が良好で衛生的に保ち得ると共に、引戸の良好な操作性を図り得る戸棚を提供することを目的とする。
【課題を解決するための手段】
【０００７】
前記問題を克服し、所期の目的を好適に達成するため、本発明に係る戸棚は、
本体に開設した開口部の内周上部および内周下部に、上レールおよび下レールが設けられ、両レール間にスライド自在に支持された一対の引戸により前記開口部を開閉する戸棚において、
前記下レールに形成されて前後に離間し、各引戸の下端を案内する断面が弧状で、該引戸のスライド方向に平行に延在する前後の案内溝と、
前記引戸の底面に設けられ、前記案内溝における弧状内面の曲率より小さな曲率の弧状突面を該弧状内面に摺動自在に接する突部とを有し、
前記引戸の開閉操作に際して、前記案内溝内で突部が前後に変位した際には、弧状内面に沿って該弧状内面の最深部に該突部が接する位置まで戻るよう構成されていることを特徴とする。
【発明の効果】
【０００８】
本発明に係る戸棚によれば、引戸の下端を支持する案内溝を弧状としたから、清掃性が向上して衛生的に保つことができる。また案内溝に接する突部の弧状突面の曲率を、案内溝の弧状内面の曲率より小さく設定したから、該突部が前後に変位しても、弧状内面の傾斜によって突部は弧状内面の最深部に接する位置まで戻るから、前記引戸は安定してスライドし、操作性は良好となる。
【０００９】
前記各案内溝の端縁に規制部を設けたから、下レールに対して引戸が落脱するのは防止される。また、前記引戸の前面に設けた把手が他方の引戸に当接した場合であっても、該引戸は前後に容易に移動して逃げることができるから、引戸に大きな力が加わって変形したり破損するのは防止される。
【発明を実施するための最良の形態】
【００１０】
下レールに形成されて引戸の下端を案内する案内溝の形状を、断面が弧状となるように形成する。また、引戸の底面に設けられて案内溝の弧状内面に摺動する突部の弧状突面を、該弧状内面の曲率より小さな曲率とする。
【実施例】
【００１１】
次に、本発明に係る戸棚につき、好適な実施例を挙げて、添付図面を参照しながら以下説明する。図２に示す如く、実施例に係る食器戸棚(戸棚)１０は、一対の側板１２,１４、天板１６、底板１８および背板(図示せず)を相互に組付けることで、前方に開放する箱状の本体２０が構成される。この本体２０の内部には、上下方向の略中間位置に仕切板２２が配設され、本体内部には、該仕切板２２を挟んで上下に収納室２４が夫々画成されるようになっている。なお、両側板１２,１４における各収納室２４内に臨む対向する内面には、前後に離間して棚受柱(図示せず)が上下方向に延在するよう配設され、該棚受柱に着脱自在に係止された棚受金を介して、食器類等を載置する棚部材(何れも図示せず)が多段的に配設可能に構成されている。また、前記側板１２,１４、天板１６および底板１８は、ステンレス板により形成された箱状本体の内部に発泡ウレタンを充填して構成され、ステンレス板が薄いものであっても必要な強度を確保すると共に消音性を向上するようにしてある。
【００１２】
前記本体２０の前部には、前方に開放する矩形状の開口部２０ａが、前記仕切板２２を挟んで上下に形成されている。各開口部２０ａの内周上部および内周下部には、その幅方向の全長に亘って、上レール２６および下レール２８が設けられ、前記上レール２６と下レール２８との間に、前引戸３０および後引戸３２が夫々幅方向にスライド自在に支持されて、前記開口部２０ａを開閉し得るよう構成してある。
【００１３】
実施例では、前引戸３０の右側端を右の側板１２の内面に当接することで、開口部２０ａの右半分を閉成し、後引戸３２の左側端を左の側板１４の内面に当接することで、開口部２０ａの左半分を閉成するよう構成されている。そして、両引戸３０,３２で開口部２０ａを閉成した状態で、前引戸３０の左側部と後引戸３２の右側部とが前後に重なって、該開口部２０ａの密閉性を確保するようになっている。なお、図３に示す如く、右側板１２の前部内側には、前記前引戸３０で開口部２０ａを閉成した状態で、該前引戸３０における右側部の前側に突出する右被覆部１２ａが上下方向に延在するよう形成され、前引戸３０と右側板１２との間での密閉性を確保するよう構成される。また同様に、左側板１４の前部内側には、前記後引戸３２で開口部２０ａを閉成した状態で、該後引戸３２における左側部の前側に突出する左被覆部１４ａが上下方向に延在するよう形成され、後引戸３２と左側板１４との間での密閉性を確保するよう構成されている。
【００１４】
前記上下の各開口部２０ａに対応して設けられる上下のレール２６,２８の構造は同一であるので、上側の開口部２０ａに対応する上下のレール２６,２８の構造についてのみ説明する。
【００１５】
前記上側の開口部２０ａに対応する上レール２６は、図４に示す如く、該開口部２０ａの内周上部を構成する前記天板１６の前部下側に形成されて幅方向の全長に亘って延在する垂下部３４と、該垂下部３４より奥側(収納室側)において垂下部３４と平行に延在するよう配設されて下方に開放するコ字状のレール枠３６とから構成される。そして、垂下部３４とレール枠３６との間に画成されて幅方向に延在する前溝３８に前引戸３０の上部がスライド可能に臨むと共に、レール枠３６に画成されている後溝４０に後引戸３２の上部がスライド可能に臨んでいる。なお、下側の開口部２０ａに対応する上レール２６は、前記仕切板２２の前部下側に設けられる。
【００１６】
前記上側の開口部２０ａに対応する下レール２８は、該開口部２０ａの内周下部を構成する前記仕切板２２の前部上側に一体的に形成されたものであって(下側の開口部２０ａに対応する下レール２８は底板１８に一体的に形成される)、図１に示す如く、断面が弧状、好適には曲率の大きな円弧状の案内溝４２,４４が、前後に離間して幅方向の全長に亘って平行に延在するよう形成されている。そして、前側に位置する前案内溝４２に、前引戸３０の下端がスライド自在に支持されると共に、後側に位置する後案内溝４４に、後引戸３２の下端がスライド自在に支持されるよう構成される。なお、両案内溝４２,４４における弧状内面の曲率は、例えばＲ３０に設定されて溝深さが浅くなるようにし、該下レール２８の清掃性を向上し得るようになっている。また案内溝４２,４４における弧状内面の最深部が、該案内溝４２,４４の前後方向の中央部に位置するよう設定される。
【００１７】
前記下レール２８には、前案内溝４２における前端縁から前方に向かうにつれて水平面に対して上方に鈍角で傾斜する前規制部(規制部)４６が形成され、前案内溝４２に支持されている前引戸３０の下端部が、該案内溝４２から前方にずれて脱落するのを該前規制部４６で防止するよう構成される。また下レール２８には、後案内溝４４における後端縁から上方に略鉛直に延在する後規制部(規制部)４８が形成されており、該後規制部４８により後案内溝４４に支持されている後引戸３２の下端部が、該案内溝４４から後方にずれるのを防止するようになっている。なお、後規制部４８は、下レール２８に入ったゴミ等が、収納室２４に入り込むのを防止するべく機能している。
【００１８】
次に、前記前後の引戸３０,３２の構成は同じであるので、前引戸３０の構成についてのみ説明し、同一部材には同じ符号を付して示すものとする。すなわち、前引戸３０は、ステンレス板により形成された箱状本体の内部に発泡ウレタンを充填して構成されたものであって、必要な強度を確保すると共に消音性を向上するようにしてある。また前引戸３０の底面には、図１に示す如く、前記前案内溝４２の弧状内面の曲率より小さな曲率の弧状突面(好適には円弧状突面)を有する突部５０が、幅方向に離間して複数箇所(実施例では２箇所)に配設され、該突部５０の弧状突面が前案内溝４２の弧状内面に接するようになっている。すなわち、前引戸３０は、２つの突部５０,５０を介して前案内溝４２に対してスライド自在に支持されている。そして、前引戸３０の開閉操作に際して、該引戸３０が前後に傾くことで前案内溝４２内で突部５０,５０が前後に変位した際には、前引戸３０の自重によって該突部５０,５０が弧状内面に沿って該弧状内面の最深部(前後方向の中央部)に接する位置まで自動的に戻るよう構成される。言い替えると、前引戸３０は、前記突部５０,５０が、常に前案内溝４２における弧状内面の最深部に接する位置に臨むよう自動復帰して、安定してスライドするようになっている。
【００１９】
前記突部５０は、合成樹脂を材料として形成され、前案内溝４２に対して良好な摺動性を有するよう構成される。また前引戸３０を、２つの突部５０,５０でのみ前案内溝４２に接してスライドするよう構成してあるから、接触面積が小さくなってより円滑にスライドさせ得るようになっている。なお、前引戸３０の表面には、フッ素樹脂コートが施され、手アカや汚れが付き難くしてある。
【００２０】
前記前案内溝４２における弧状内面の最深部は、前記右側板１２の右被覆部１２ａにおける室内側面と前引戸３０の前面との間に、僅かな隙間が生ずる分だけ奥側に位置するよう設定される。また同様に、後案内溝４４における弧状内面の最深部は、前記左側板１４の左被覆部１４ａにおける室内側面と後引戸３２の前面との間に僅かな隙間が生ずる分だけ奥側に位置するよう設定される。これにより、各引戸３０,３２の突部５０,５０が対応する案内溝４２,４４における弧状内面の最深部に接する状態では、その右側部または左側部が右被覆部１２ａまたは左被覆部１４ａに衝突しないよう構成されている。
【００２１】
図３に示す如く、前記前引戸３０の前面右側に、該引戸３０を開閉操作するための合成樹脂製の把手５２が配設されている。この把手５２は、上下方向に延在する略長円形の溝５２ａを形成した本体５２ｂの外周縁にフランジ５２ｃが形成され、本体５２ｂを前引戸３０に開設した開口(図示せず)に前側から嵌合することで取付けられている。前記フランジ５２ｃは、その外端縁に向かうにつれて厚みが薄くなるよう形成されて、前引戸３０の前面からの突出量を小さく抑えるよう設定される。なお、後引戸３２には、前面左側に同じ把手５２が取付けられている。そして、前後の引戸３０,３２は、前引戸３０の後面と後引戸３２の前面との間の隙間が、静止状態で後引戸３２に配設されている把手５２が前引戸３０に当接しない寸法に設定されている。すなわち、前記下レール２８における前後の案内溝４２,４４の前後離間寸法が、引戸３０,３２の厚みおよび把手５２の突出寸法から、前記隙間が設けられるよう設定してある。
【００２２】
次に、前述した実施例に係る食器戸棚の作用について説明する。当該食器戸棚１０の前記開口部２０ａを一対の引戸３０,３２で閉成した状態では、図２に示す如く、その右側部または左側部の前側が、対応する右被覆部１２ａまたは左被覆部１４ａで覆われ、また前引戸３０の左側部と後引戸３２の右側部とが前後に重なって、該開口部２０ａの密閉性が確保される。これにより、虫やホコリ等が前記収納室２４に入り込むのを防止し、収納されている食器類等を清潔に保つことができる。
【００２３】
例えば、前記前引戸３０をスライドして開口部２０ａを開放する際には、該引戸３０の前記突部５０,５０が、前記前案内溝４２に沿って摺動する。この突部５０,５０は合成樹脂製で、かつ前案内溝４２に接する弧状突面の曲率は、該溝４２の弧状内面の曲率より小さく設定されているから、両者の接触面積は小さく、円滑な摺動が達成される。すなわち、前引戸３０を円滑にスライドさせることができ、操作性が向上する。
【００２４】
また、前記前引戸３０の突部５０,５０は、前案内溝４２における弧状内面の傾斜(曲面)によって、常にその最深部に接する位置に復帰するよう構成してあるから、開放した前引戸３０を閉成する際に、該前引戸３０が前後方向にずれたまま、その右端部が右被覆部１２ａに衝突するのは防止される。また前引戸３０が、前記後引戸３２に配設された把手５２に接触するのも防止できる。なお、後引戸３２をスライドする場合も同様の作用を奏する。すなわち、引戸３０,３２を開閉操作した際に、部材同士が衝突して、当該引戸３０,３２、左右の被覆部１２ａ,１４ａあるいは把手５２が変形したり損傷するのを防ぐことができる。
【００２５】
ここで、前記前引戸３０の後面と後引戸３２の前面との隙間からの虫やホコリ等の室内への進入を防止するため、何れか一方の引戸の対向面にゴムパッキンを配設して、該パッキンを他方の引戸の対向面に摺接するよう構成する場合がある。このような構成の場合、ゴムパッキンが前記把手５２に接触することがある。そのため従来では、把手５２が引戸表面から突出しない形状とする必要があり、デザインが限定されてしまう難点がある。しかるに実施例の食器戸棚１０においては、前記案内溝４２,４４が弧状に形成されているから、把手５２とゴムパッキンとが接触した際には、前記突部５０,５０が弧状内面に沿って前後に容易に変位して逃げることで、引戸３０,３２に大きな力が加わるのを回避することができる。従って、把手５２のデザインの許容範囲を広げることができる。
【００２６】
なお、ゴムパッキンを配設しない構成であっても、前記前引戸３０の後面と後引戸３２の前面との隙間を最小限に抑えて虫の進入を防止するよう設定しているため、前記把手５２が引戸表面から大きく突出していると、該把手５２が他方の引戸に接触するおそれがある。しかるに、この場合であっても実施例の食器戸棚１０であれば、前述したように引戸３０,３２が前後方向に容易に移動して接触時の衝撃を和らげることができる。また、把手５２における引戸表面に突出しているフランジ５２ｃは、その外端縁に向かうにつれて厚みが薄くなり、傾斜しているから、引戸３０,３２が接触する際には端面同士が当たって、それ以上のフライドが不能となるのは回避される。
【００２７】
次に、前記下レール２８の清掃に際し、両案内溝４２,４４は弧状で、かつ浅いので、ゴミを簡単に掃き出し得ると共に、汚れも簡単に除去することができ、常に衛生的に保ち得る。また後案内溝４４の後端縁に連設した後規制部４８により、下レール２８から前記収納室２４の内部にゴミやホコリが入り込むのは防止され、収納室２４内を衛生的に保つことができる。
【００２８】
なお、前記本体２０を構成する側板１２,１４、天板１６および底板１８は、内部に発泡ウレタンを夫々充填してあるから、静粛性に優れると共に質感も向上する。また内部に虫等が入り込まない構造であるから、衛生的である。更に、前記引戸３０,３２の表面にはフッ素樹脂コートが施されているので、汚れ難く清掃が容易となる。更に、引戸３０,３２は、その底面に設けた突部５０,５０を介して案内溝４２,４４にスライド自在に支持される簡単な構成であるから、メンテナンス性が向上する。
【００２９】
実施例では、前引戸の下端部が、案内溝から前方にずれて脱落するのを防止する前規制部(規制部)を、下レールの全長に亘って延在するようにしたが、図２に二点鎖線で示す如く、下レール２２における前引戸３０の前側において、該前引戸３０の開放状態および閉成状態の何れの位置においても前方移動を規制し得る位置に、部分的に規制片(規制部)５４を設ける構成を採用し得る。また実施例では、戸棚として食器類を収納する食器戸棚を挙げて説明したが、収納される被収納物は食器類等に限定されるものでなく、その他各種のものを収納する戸棚を対象とし得る。
【００３０】
実施例では、引戸の底面に２つの突部を設けた場合で説明したが、幅方向に所定長を有する１本の突部を底面に設けたものであってもよい。あるいは、引戸自体の底面を弧状に形成することで突部とする構成を採用し得る。また本体の開口部における内周上下に設けられる上下のレールは、本体を構成する各板に一体的に形成されるものに限定されず、別体で構成した上下のレールを対応する板に配設するようにしてもよい。なお、本体を構成する各板、仕切板あるいは引戸に充填される発泡材としては、発泡ウレタンに限らず、発泡スチロール等であってもよい。
【図面の簡単な説明】
【００３１】
【図１】実施例に係る食器戸棚の下レールの配設部位を示す要部縦断側面図である。
【図２】実施例に係る食器戸棚を示す正面図である。
【図３】実施例に係る食器戸棚から天板を外した状態で要部を示す平面図である。
【図４】実施例に係る食器戸棚の上側の開口部に配設される上下のレールおよび前後の引戸を示す要部縦断側面図である。
【符号の説明】
【００３２】
２０ 本体，２０ａ 開口部，２６ 上レール，２８ 下レール
３０ 前引戸(引戸)，３２ 後引戸(引戸)，４２ 前案内溝(案内溝)
４４ 後案内溝(案内溝)，４６ 前規制部(規制部)，４８ 後規制部(規制部)
５０ 突部，５２ 把手，５４ 規制片(規制部)
【図１】
2005030165.tif 000003
【図２】
2005030165.tif 000004
【図３】
2005030165.tif 000005
【図４】
2005030165.tif 000006